【誤訳訂正書】
【提出日】平成27年5月27日(2015.5.27)
【誤訳訂正１】
【訂正対象書類名】特許請求の範囲
【訂正対象項目名】全文
【訂正方法】変更
【訂正の内容】
【特許請求の範囲】
【請求項１】
−第１の波長の光を発光するように適合される光源、及び
−該第１の波長の光を受け、前記受けた光の少なくとも一部分を第２の波長の光へ変換するように適合された、有機波長変換材料を含む波長変換部材であって、前記波長変換部材が、前記有機波長変換材料のためのポリマ−性マトリクス又はキャリアを含み、該波長変換部材及び該光源が相互に空間的に離れている波長変換部材；及び
−該波長変換部材を少なくとも部分的に囲み、少なくとも該波長変換部材を含む密閉キャビティを形成する密閉構造であって、該密閉キャビティ内のガス圧が１Ｐａ以下である密閉構造、
を含む、発光配置。
【請求項２】
該密閉キャビティ内のガス圧が１ｍＰａ以下である、請求項１に記載の発光配置。
【請求項３】
前記密閉キャビティが気密密閉されている、請求項１に記載の発光配置。
【請求項４】
前記密閉キャビティがさらに吸着材料を含む、請求項１に記載の発光配置。
【請求項５】
前記密閉キャビティがまた、前記光源を含む、請求項１に記載の発光配置。
【請求項６】
該波長変換部材が、ペリレン誘導体を含む波長変換材料を含む、請求項１に記載の発光配置。
【請求項７】
該波長変換材料が、次の一般式：
【化１】
2014503981.tif 000001
のペリレン誘導体からなる群から選択され、
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換飽和アルキルＣｎＨ２ｎ＋１であり、ｎは１から１６の整数であり；
Ｇ２、Ｇ３、Ｇ４及びＧ５のぞれぞれは独立して、水素、フッ素、メトキシ、イソプロピル、ｔ−ブチル又は無置換飽和アルキル基ＣｎＨ２ｎ＋１であり、ｎは１から１６の整数であり、又はＸであり；及び
Ｄ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数である、
請求項６に記載の発光配置。
【請求項８】
Ｇ２、Ｇ３、Ｇ４及びＧ５のそれぞれがＸであり、Ａ及びＣのそれぞれがイソプロピルであり、Ｂ、Ｊ、Ｑ、Ｄ、Ｅ、Ｉ、Ｌ及びＭのそれぞれが水素である、請求項７に記載の発光配置。
【請求項９】
該光源が少なくとも１つのＬＥＤを含む、請求項１に記載の発光配置。
【請求項１０】
前記マトリクスのための前記ポリマ−性材料が、ポリ（メチルメタクリレ−ト）（ＰＭＭＡ）、ポリスチレン、ポリカ−ボネ−ト、シリコ−ン、ポリシロキサン又はアクリレ−トポリマ−を含む、請求項１に記載の発光配置。
【請求項１１】
請求項１乃至１０のいずれか一項に記載の発光配置を含む、ランプ。
【請求項１２】
発光配置で使用するための、低圧下で波長変換部材を含む密閉キャビティを製造するための方法であり、前記方法は：
−キャビティを形成することが意図された構造を提供すること；
−該構造上に又は該構造に隣接して有機波長変換材料を含む波長変換部材を設け、これにより前記波長変換部材が該キャビティ内に含まれ、前記波長変換部材が、前記有機波長変換材料のためのポリマ−性マトリクス又はキャリアを含むこと；
−前記構造を閉じて、前記波長変換部材を含む該キャビティを封入する密閉構造を形成すること；
−該キャビティに１Ｐａ以下のガス圧を有する雰囲気を提供すること；及び
−前記波長変換部材を含む該キャビティを封入する該閉鎖密閉構造を気密に密閉すること、
を含む、方法。
【請求項１３】
前記構造を閉じる該ステップ及び／又は前記閉鎖構造を密閉する該ステップが、ガラス溶融を用いて実施される、請求項１２に記載の方法。
【請求項１４】
該キャビティに１Ｐａ以下のガス圧を有する雰囲気を提供する該ステップが、真空ポンプすることを含む、請求項１２に記載の方法。
【請求項１５】
光源が、該構造を閉じる前記ステップの前に提供され、該光源が、前記構造が閉じられた後に前記キャビティ内に含まれるように設けられる、請求項１２に記載の方法。
【請求項１６】
請求項１に記載の発光配置を製造するための方法であり、前記方法が：
−第１の波長の光を発光するように適合される光源を提供すること；
−キャビティを形成することが意図された構造を提供すること；
−該構造上に又は該構造に隣接して有機波長変換材料を含む波長変換部材を設け、これにより前記波長変換部材が該キャビティ内に含まれるようにし、前記波長変換部材が、前記有機波長変換材料のためのポリマ−性マトリクス又はキャリアを含むこと；
−前記構造を閉じて、前記波長変換部材を含む該キャビティを封入する密閉構造を形成すること；
−該キャビティに１Ｐａ以下のガス圧を持つ雰囲気を提供すること；及び
−前記波長変換部材を含む該キャビティを封入する該密閉構造を気密密閉すること、
を含む、方法。
【誤訳訂正２】
【訂正対象書類名】明細書
【訂正対象項目名】全文
【訂正方法】変更
【訂正の内容】
【発明の詳細な説明】
【発明の名称】有機フォスファ−を備える発光配置
【技術分野】
【０００１】
本発明は、制御環境下で維持された有機フォスファ−を含む発光配置、その製造のための方法及びかかる発光配置を含むランプに関する。
【背景技術】
【０００２】
発光ダイオ−ド（ＬＥＤ）系照明装置は、広い種類の照明及び用途のためにますます使用されるようになってきた。ＬＥＤは、白熱灯及び蛍光灯などの従来の光源に対して、長寿命、高ル−メン効率、低作動電圧及びル−メン出力の高速変調などを含む利点を有する。
【０００３】
効率的ハイパワ−ＬＥＤはしばしば青色発光材料に基づく。望ましい色（例えば白色）出力を持つＬＥＤ系照明装置を製造するためには、通常フォスファ−として知られる好適な波長変換材料が、ＬＥＤによる発光の一部分をより長波長の光に変換して望ましいスペクトル特性を持つ光の組合せを作るために使用され得る。前記波長変換材料は、ＬＥＤダイに直接適用されてもよく、又は前記フォスファ−からある距離に設けられ得る（所謂リモ−ト構成）。例えば、前記フォスファ−は、前記装置を包埋する密閉構造の内側に適用され得る。
【０００４】
多くの無機材料が、ＬＥＤにより発光される青色光をより長波長の光へ変換するためのフォスファ−材料として使用されてきた。しかし、無機フォスファ−は、価格が比較的高いという欠点を持つ。さらに、無機ＬＥＤフォスファ−は、光散乱粒子であり、入射光の一部分を常に反射することから装置における効率の損失をもたらす。さらに、無機ＬＥＤフォスファ−は、比較的広い発光スペクトルを持ち、特に赤色発光無機フォスファ−ではさらなる効率の損失をもたらす。現在、有機フォスファ−材料を、ＬＥＤ中の無機フォスファ−−と置き換えることが検討され、例えば白色光出力を達成するために青色光を緑色から赤色の変換が望ましい。有機フォスファ−は、その発光スペクトルが、位置及びバンド幅に関して容易に調節可能であるという利点を持つ。有機フォスファ−はまた、しばしば高透明性を示し、これは、前記照明システムの効率が、より光吸収性及び／又は反射性のフォスファ−材料を用いるシステムと比較して、改善されるという利点を持つ。さらに、有機フォスファ−は無機フォスファ−よりもずっと安価である。しかし、有機フォスファ−は、前記ＬＥＤのエレクトロルミネッセンス活性の際に生成される熱に敏感であることから、有機フォスファ−は優先的に、リモ−ト構成装置で使用されており、前記フォスファ−は、前記ＬＥＤから離れて置かれている。
【０００５】
リモ−トフォスファ−ＬＥＤ系照明システムでの有機フォスファ−材料の適用を妨げる主な欠点は、その乏しい光化学的安定性である。有機フォスファ−は、空気の存在下で青色光で照射されると急速に分解されることが観察されている。
【０００６】
Ｈｏｒｉｕｃｈｉらの米国特許出願公開第２００７／０２７３２７４号には、発光装置を含み、枠部材及び２つのガラス板で形成される気密キャビティ内に設けられる有機フォスファ−を含む、半透明のラミネ−トシ−トが開示されている。前記フォスファ−の劣化を防止するため、前記キャビティは有機フォスファ−で充填され、そこは真空下又は不活性ガスの環境雰囲気下で酸素濃度が１００ｐｐｍに、及び好ましくは２０ｐｐｍ以下に維持された状態である。
【０００７】
しかし、米国特許出願公開第２００７／０２７３２７４号で提案される解決にもかかわらず、有機フォスファ−の劣化を低減し又は防止する改良された発光配置についての必要性が存在する。
【先行技術文献】
【特許文献】
【０００８】
【特許文献１】米国特許出願公開第２００７／０２７３２７４号明細書
【発明の概要】
【発明が解決しようとする課題】
【０００９】
本発明の課題は、この問題を克服することであり、改良された寿命を持つ有機フォスファ−を含む発光配置を提供することである。
本発明の課題はまた、有機波長変換材料が低圧下で維持され得る発光配置のための密閉構造を提供することである。
【課題を解決するための手段】
【００１０】
本発明の第１の側面によれば、この課題及びその他の課題は発光配置により達成され、前記発光配置は：
第１の波長の光を発光するように適合される光源；
該第１の波長の光を受け、前記受けた光の少なくとも一部分を第２の波長の光に変換するように適合された、有機波長変換材料を含む波長変換部材であって、該波長変換部材及び該光源が相互に空間的に離れている波長変換部材；及び、
該波長変換部材を少なくとも部分的に囲み、及び該波長変換部材を少なくとも含む密閉キャビティを形成する密閉構造であって、該密閉キャビティ内のガス圧が１＊１０−５バ−ル（１Ｐａ）以下である密閉構造、
を含む。かかる圧で、前記有機フォスファ−は、特に優れた安定性を持ち、従って、前記フォスファ−のより長寿命がもたらされる。好ましくは、該密閉キャビティ内の前記ガス圧は、１＊１０−８バ−ル（１−ｍＰａ）以下である。典型的には、前記密閉キャビティは気密密閉されている。
【００１１】
本発明の実施態様では、前記密閉キャビティはさらに、活性炭などの吸着材料を含んでもよい。活性炭は、非気密密閉の場合に前記キャビティ内に入る、又は前記キャビティ内で部品から放出される気体物質を吸収することができる。従って、前記密閉キャビティ内の低ガス圧が、前記発光配置の動作寿命の間維持され得る。
【００１２】
本発明の実施態様では、前記密閉構造は、前記光源を少なくとも部分的に囲み、それにより前記密閉キャビティがまた前記光源を含む。従って、かかる実施態様では、前記光源がまた、前記波長変換部材と同じ低圧下で保持される。
【００１３】
本発明の実施態様では、前記波長変換部材はペリレン誘導体を含む波長変換材料を含む。特に前記波長変換材料は、次の一般式のペリレン誘導体からなる群から選択される化合物：
【００１４】
【化１】
2014503981.tif 000002
を含んでもよく、
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換飽和アルキルＣｎＨ２ｎ＋１であり、ｎは１から１６の整数であり；
Ｇ２、Ｇ３、Ｇ４及びＧ５のぞれぞれは独立して、水素、フッ素、メトキシ、イソプロピル、ｔ−ブチル又は無置換飽和アルキル基ＣｎＨ２ｎ＋１であり、ｎは１から１６の整数であり、又はＸであり；及び
Ｄ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数である。
【００１５】
ある実施態様では、Ａ及びＣのそれぞれはイソプロピルであり、Ｂ、Ｊ及びＱのそれぞれは水素であり、及びＤ、Ｅ、Ｉ、Ｌ及びＭのそれぞれは水素である。この波長変換材料は、他のペリレン誘導体化合物と比較して、低圧下で特に優れた安定性を示すことが見出された。
【００１６】
本発明の実施態様では、前記光源は少なくとも１つの発光ダイオ−ド（ＬＥＤ）を含む。
【００１７】
他の側面によれば、本発明は上記の発光配置を含むランプに関する。
【００１８】
他の側面によれば、本発明は、発光配置で使用するための、低圧下で波長変換部材を含む密閉キャビティを封入する密閉構造を製造するための方法を提供する。前記方法は：
−キャビティを形成することが意図された構造を提供するステップ；
−該構造上に又は該構造に隣接して波長変換部材を設けて、これにより前記波長変換部材が該キャビティ内に含まれるようにするステップ；
−前記構造を閉じて前記波長変換部材を含む該キャビティを封入する密閉構造を形成するステップ；
−該キャビティに１Ｐａ以下のガス圧を持つ雰囲気を提供するステップ；及び
−前記波長変換部材を含む該キャビティを封入する該閉鎖密閉構造を気密密閉するステップ、
を含む。
【００１９】
典型的には、前記閉鎖密閉構造を密閉する前記ステップは、ガラス溶融を用いて実施され得る。また、前記密閉構造を閉鎖する先行ステップがガラス溶融を用いて実施され得る。
【００２０】
低ガス圧雰囲気を提供する前記ステップは、典型的には真空ポンプすることを含む。
本発明の実施態様では、光源は、前記密閉構造を閉鎖する前に設けられ、及び前記密閉構造が閉鎖されると、前記キャビティ内に、前記波長変換部材と共に含まれるように設けられる。従って、前記波長変換部材と前記光源の両方を封入する単純な密閉構造が使用され得る。一般に、前記波長変換部材及び前記光源は、相互に空間的に離されて配置される。
【００２１】
さらなる側面で、本発明は、ここで記載される発光配置を製造するための方法を提供し、前記方法は：
−第１の波長の光を発光するように適合される光源を提供するステップ；
−キャビティを形成することが意図された構造を提供するステップ；
−該構造上に又は該構造上に隣接して有機波長変換部材を設けて、これにより前記波長変換部材が該キャビティ内に含まれるステップ；
−前記構造を閉じて前記波長変換部材を含む該キャビティを封入する密閉構造を形成するステップ；
−該キャビティに１Ｐａ以下のガス圧を持つ雰囲気を提供するステップ；及び
−前記波長変換部材を含む該キャビティを封入する該閉鎖密閉構造を気密密閉するステップ、
を含む。
【００２２】
典型的には、前記波長変部材は、前記波長変換部材が前記光源により発光された該第１の波長の光を受けることができるように設けられる。一般に、前記波長変換部材及び前記光源は相互に空間的に離されて配置される。
【００２３】
留意すべきことは、本発明は、特許請求の範囲に記載される特徴の全ての可能な組合せに関する、ということである。
【００２４】
本発明の、これらの及びその他の側面について、本発明の実施態様を示す添付図面を参照して、以下でより詳細に説明する。
【図面の簡単な説明】
【００２５】
【図１ａ】図１ａは、本発明の実施態様による発光配置の１例を示す。
【図１ｂ】図１ｂは、本発明の実施態様による発光配置の１例を示す。
【図２】図２は、本発明の他の実施態様による発光配置を示す。
【図３】図３は、大気圧下で、青色光で照射された有機フォスファ−の分解を示すグラフである。
【図４】図４は、異なる圧力で青色光照射された２つの有機フォスファ−の消光速度を示す。
【図５】図５は、本発明の他の実施態様による発光配置を示す。
【発明を実施するための形態】
【００２６】
図１ａ及び１ｂは、本発明による２つの発光配置１００を模式的に示す。両方の実施態様では、複数のＬＥＤ１０１が支持体１０２上に配置される。光出力部材１０４及び密閉部１０７を含む密閉構造１０３は前記光源の上に設けられる。前記密閉構造１０３はまた、密閉キャビティ１０５を定め、その中に、典型的にはポリマ−性マトリクス又はキャリア中に分散された有機波長変換材料を含む波長変換部材１０６が設けられる。
【００２７】
図１ａの前記発光配置１００はレトロフィットランプとして提供される。語句「レトロフィットランプ」は、当業者によく知られており、ＬＥＤを持たなかった古いタイプのランプの外観を持つＬＥＤ系ランプを指す。アノ−ド及びカソ−ド（図示されていない）に接続されるエレクトロルミネッセンス層をそれぞれ含む複数のＬＥＤ１０１を含む光源が本体部１０２上に設けられ、前記本体部には、エジソンスクリュキャップ又は押し込みキャプなどの従来のキャップが設けられる。曲がった光出力部材１０４を含む密閉構造１０３は、前記ＬＥＤ１０１の上の本体部１０２上に設けられる。前記曲がった部材１０４は、二重壁構造を持ち、外部壁１０４ａ及び内部壁１０４ｂを含み、かつ前記壁１０４ａ、１０４ｂとの間に形成されるキャビティ１０５を封入する。前記曲がった壁１０４ａ、１０４ｂは、底壁部で接続され、これは前記本体部１０２と直接的又は間接的に接触し得る。
【００２８】
有機波長変換材料を含む波長変換部材１０６は、前記曲がった部材１０４の表面（即ち前記キャビティ１０５に面する表面）のコ−ティングとして前記キャビティ１０５内に設けられる。前記ＬＥＤは、前記内部壁１０４ｂ及び前記本体部１０２により形成される異なるキャビティ１０９内の前記曲がった部材１０４の下に位置する。
【００２９】
本発明の実施態様では、前記波長変換部材は低圧下で前記密閉キャビティ内に配置され、一方前記光源は該キャビティの外側に配置され、場合により異なる圧、典型的には大気圧下に維持される。
【００３０】
前記光出力部材１０４は、ガス非透過性材料で形成されてもよく、それは気密密閉で密閉され得る。従って、前記密閉構造１０３は、前記キャビティ１０５と前記密閉構造１０３を取り囲む外側雰囲気との間で気密バリアを提供することができる。本発明によれば、前記気密キャビティ内のガス圧は、１＊１０−５バ−ル（１Ｐａに対応）以下である。
【００３１】
図１ｂは、前記発光配置の他の実施態様を示し、前記密閉構造１０３は、従来の蛍光灯に類似する円筒形状を持つ光出力部材１０４を含む。前記チュ−ブ１０４の両端部はエンドキャップ（図示されていない）で閉鎖され、密閉されている。前記波長変換部材１０６は、この実施態様では、前記光出力部材１０４の内部表面のコ−ティングとして、即ち前記密閉キャビティ１０５及び前記ＬＥＤ１０１に面する前記チュ−ブ１０４の側に−設けられる。
【００３２】
留意すべきことは、本願を通じて、前記密閉構造は１以上の壁を含み、これはガラス、セラミック、金属又はポリマ−性材料で形成されてもよく、場合によりバリアコ−ティング又はフィルムを有する。前記密閉構造は少なくとも部分的に光透過性であってもよい。
【００３３】
図２は、他の発光配置２００を例示し、これらは、本体部２０２上に設けられる複数のＬＥＤ２０１の形態の光源、及び前記ＬＥＤ２０１を封入する光出力部材２０４の形態のド−ム形状密閉構造２０３を含む。この実施態様では、前記光出力部材は、内部バリアを形成する内部壁２０４ａ及び外部バリアを形成する外部壁２０４ｂのサンドイッチ構造を含み、及び前記リモ−ト波長変換部材２０６が、前記外部壁２０４ｂと内部壁２０４ａとの間に設けられる。前記外部及び内部壁２０４ｂ、２０４ａは、前記本体部で接続され、互いに密閉部２０７で接続され、これは前記内部及び外部壁の周縁端部に沿って伸びている。前記光出力部材２０４はそれにより、相互に離れた内部及び外部壁２０４ａ、２０４ｂの間に前記密閉キャビティ２０５を形成する。前記波長変換部材２０６を含む前記密閉キャビティ２０５は、前記密閉構造２０３及び前記本体部２０２により形成され、前記ＬＥＤ２０１を含む、前記区画２０９と分離される。さらなる区画２０９内には特に酸素に敏感な部品が存在しないことから、特別の環境又は雰囲気は必要としないが、常圧で空気又は不活性ガスを含み得る。しかしまた、最初に前記区画２０９に前記キャビティ２０５と同じ雰囲気及び／又は圧を与えることも可能であり、というのは、前記区画２０９は事実、前記密閉部２０７で前記環境から密閉されているからであり、それは追加的に前記光出力部材２０４を前記本体部２０２へ付設するために使用されるからである。この密閉部は、低温融解ガラス又は金属から形成され得る。
【００３４】
２以上の壁部分が、前記密閉構造２０３を形成するために使用され得る。また、前記壁２０４ａ、２０４ｂは、半球状、ド−ム形状又は曲がっていることさえ必要ではないが、あらゆる好適な形状を有し得、及び例えば複数の部分を含むことも可能である。
【００３５】
前記密閉構造は、ガラス、セラミック、金属又はポリマ−性材料により形成されてもよく、場合によりバリアコ−ティング又はフィルムを有する。前記密閉構造は少なくとも部分的に光透過性であってもよい。例えば、図１及び２の実施態様では、前記光出力部材は光透過性材料から形成される。また前記本体部２０２はガラス、セラミック又は金属から形成され得る。
【００３６】
図５は、本発明による前記発光配置の他の実施態様を示す。前記発光配置５００は、支持板５０２上に設けられ、密閉構造５０３で囲まれている複数のＬＥＤ５０１ａを含む。前記支持板５０２に、高反射性コ−ティングを設けてもよい。前記装置内又は前記装置上で拡散体及び／又は反射体を用いることも可能である。
【００３７】
前記密閉構造５０３は、２つの同心チュ−ブを含み、１つの外側チュ−ブ５０４ａは同心状に内部チュ−ブ５０４ｂを囲み、それにより前記チュ−ブ間に環状空間を形成する。前記チュ−ブ５０４ａ、５０４ｂは、各端部で密閉され、これにより前記環状空間が密閉キャビティ５０５を形成してもよい。複数のＬＥＤを含む前記光源５０１は、前記内部チュ−ブ５０４ｂ内の支持板上に配置される。波長変換部材５０６は、前記内部チュ−ブ５０４ｂの前記外部表面上にコ−ティングとして設けられ、その表面は前記外部チュ−ブ５０４ａ及び前記キャビティ５０５に面している。前記同心状チュ−ブ５０４ａ、５０４ｂ間に形成される前記キャビティ５０５は、制御された雰囲気を含み、前記密閉キャビティ内のガス圧は、１＊１０−５バ−ル（１Ｐａに対応）以下である。
【００３８】
本発明による前記発光配置は、例えば蛍光灯を製造するために使用される従来のガラス溶融技術を用いて製造され得る。
【００３９】
本発明の実施態様による前記波長変換部材は、前記有機波長変換材料のためのポリマ−性マトリクス又はキャリアを含み得る。前記マトリクスのための好適なポリマ−性材料の例は、ポリ（メチルメタクリレ−ト）（ＰＭＭＡ）、ポリスチレン、ポリカ−ボネ−ト、シリコ−ン、ポリシロキサン及びアクリレ−トポリマ−を含む。
【００４０】
本発明による前記発光配置で使用される前記波長変換材料は、あらゆる従来の有機フォスファ−であり得る。例えば、前記波長変換材料は、ペリレン誘導体などの蛍光性有機化合物を含み得る。特に、次の一般式を持つペリレン誘導体が、本発明による前記発光配置で使用され得る：
【００４１】
【化２】
2014503981.tif 000003
ここでＧ１は直鎖又は分岐アルキル基又は酸素含有アルキル基ＣｎＨ２ｎ＋１Ｏｍであり、ｎは１から４４の整数であり、ｍ＜ｎ／２であり、又はＹであり；
Ａ、Ｂ、Ｃ、Ｊ及びＱのそれぞれは独立して、水素、イソプロピル、ｔ−ブチル、フッ素、メトキシ又は無置換飽和アルキルＣｎＨ２ｎ＋１であり、ｎは１から１６の整数であり；
Ｇ２、Ｇ３、Ｇ４及びＧ５のぞれぞれは独立して、水素、フッ素、メトキシ、イソプロピル、ｔ−ブチル又は無置換飽和アルキル基ＣｎＨ２ｎ＋１であり、ｎは１から１６の整数であり、又はＸであり；及び
Ｄ、Ｅ、Ｉ、Ｌ及びＭのそれぞれは独立して、水素、フッ素、メトキシ又は無置換飽和アルキル基ＣｎＨ２ｎ＋１であり、ｎは１から１６の整数である。
【００４２】
上の一般式に相当するフォスファ−化合物が試験され、他のペリレン誘導体有機フォスファ−を含む他の有機フォスファ−と比較して優れた安定性を示すことが見出された。
【００４３】
例えば、前記波長変換材料は次の化合物ＩからＩＩＩの少なくとも１つを含み得る：
【００４４】
【化３】
2014503981.tif 000004
本発明の実施態様によると、前記密閉キャビティは、低圧で作用し、低圧を維持することを補助する反応剤又は吸着材料を含み得る。例えば、前記キャビティは活性炭を含み得る。活性炭は、非気密性密閉の場合に前記キャビティ内に入る、又は前記キャビティ内で部品から放出される気体物質を吸着し得る。
【００４５】
前記発光配置及び特に前記波長変換部材を含む前記密閉構造を製造する方法を、以下に説明する。前記波長変換部材は、前記まだ密閉されていない密閉構造により形成されるキャビティ内に配置され、これはいくつかの壁又は部分からなっていてもよく；場合により前記部分（例えばチュ−ブ５０４ａ、５０４ｂ）は前記キャビティを創出するために、初めに導入され得る。又は前記波長変換部材が前記密閉構造の表面上にコ−ティングとして設けられる場合、前記波長変換部材は前記密閉構造の一部分上に設けられ（例えば図５の実施態様の前記内部チュ−ブ５０４ｂ）、及び続いて前記密閉構造の異なる部分（例えば前記内部及び外部チュ−ブ）が導入されて前記キャビティを形成し得る。前記光源がまた、前記密閉キャビティ内に含まれる場合、前記光源はまた、前記キャビティを密閉する前に前記密閉構造により封入されるように設けられる。次に、第１の密閉ステップが実行され、真空ポンプに接続可能な前記密閉部に小さい開口部を残す。例えば、図１ｂの実施態様を参照すると、ガラスキャップが前記チュ−ブの両端部上へ溶融され、前記キャップの１つに、真空ポンプへガラスチュ−ブを介して接続され得る小さい開口部が設けられる。真空ポンプを用いて、前記キャビティは望ましい低圧にされる。続いて、前記ガラスキャップは溶融されて前記キャビティを閉鎖する前記密閉構造を気密密閉する。
【実施例】
【００４６】
ポリマ−マトリックス内の有機フォスファ−層を、光束密度４．２Ｗ／ｃｍ２の４５０ｎｍのレ−ザ−発光で照射し、前記フォスファ−から得られた発光を時間の関数として図３に示した。青色光照射下での前記フォスファ−の分解により発光強度は時間とともに減少した。前記層の初期吸収は１０％であり、従って、前記強度減少は、分解されてもはや発光しなくなったフォスファ−分子の濃度に直接関連し得るものである。光強度の変化は、時間の指数関数、ｃ（ｔ）＝ｃ（０）＊ｅ−ｋｔであり、消光定数ｋは前記有機フォスファ−化合物の分解速度に対応する。
【００４７】
本発明者は、黄色発光色素及びペリレン誘導体赤色発光色素の消光速度を、１２０℃で異なる圧力下で調査した。前記フォスファ−濃度は０．１％であった。結果を図４に示す。前記黄色発光色素は、市販のペリレン色素、Ｌｕｍｏｇｅｎ（登録商標）Ｆ−０８３（ＢＡＳＦ社から入手可能）であり、ＰＭＭＡマトリクス中０．０４重量％であり、前記赤色発光色素は、Ｌｕｍｏｇｅｎ（登録商標）Ｆ−３０５（ＢＡＳＦ社から商業的に入手可能）であり、ＰＭＭＡマトリクス中０．１重量％の含有量であった。前記黄色発光色素は、光束密度４．２Ｗ／ｃｍ２の青色光で照射され、前記赤色発光色素は、光束密度１．２Ｗ／ｃｍ２の青色光で照射された。常圧で、純粋な窒素雰囲気を使用した。
【００４８】
図４から見て分かるように、１０−８バ−ル（１ｍＰａ）の圧で、前記赤色発光フォスファ−の消光速度は、常圧と比較して３桁低い。前記黄色発光フォスファ−については、圧１０−８バ−ルは、１桁よりも大きい消光速度をもたらし、これは常圧下での消光速度よりも小さく、また１０−５バ−ル（１Ｐａ）の圧では、消光速度は常圧の場合と比べて非常により小さかった。
【００４９】
当業者は、本発明が、上記の好ましい実施態様に決して限定されるものではないことを理解する。逆に、多くの変法及び変形が、添付の特許請求の範囲の範囲内で可能である。